(57)【要約】【課題】ＣＡＴＶ再送信装置の機能拡張、並びに保守を行うためには、サービスの停止が伴い、加入者に対するサービスが停止する。そのため、加入者へのサービスの停止が伴う作業は、時間の制約が伴う。【解決手段】ＣＡＴＶ会社１は、ＣＡＴＶ受信装置７に、サービス停止時の動作を指示しておくことにより、ＣＡＴＶ加入者は、ＣＡＴＶ受信装置７により、サービスの停止を知ることができる。さらには、ＣＡＴＶ加入者側から見たサービスの停止が伴わないＣＡＴＶ送信装置の機能拡張、並びに保守を行うことができる。また、第一ＣＡＴＶ送信装置２が故障した場合にも、自動的に他のＣＡＴＶ送信装置へ切換えが出来る。【選択図】図１
2006094268.tif 000002
【特許請求の範囲】
【請求項１】
デジタル放送波を変調変換して番組配信システム網へ再送信する番組配信システムにおいて番組受信装置は、番組配信システム網からの放送波を受信する番組受信手段と、前記受信手段で受信した信号を処理する番組データ処理手段と、前記データ処理手段で処理されたデータに含まれる番組情報や時刻情報を処理する番組配信情報処理手段と、前記番組配信情報処理手段で処理されたデータを表示装置や外部装置に出力する番組配信出力手段を具備し、特定パケット生成装置から送出された特定パケットを受信時、内部に保持している表示情報を表示装置に出力することを特徴とする番組受信装置。
【請求項２】
前記番組受信装置は前記特定パケット生成装置から特定パケットを受信時、番組受信装置の処理の一部あるいは全部を停止することを特徴とする請求項１記載の番組受信装置。
【請求項３】
前記番組受信装置は前記特定パケット生成装置から特定パケットを受信時、接続されているひとつ以上の外部装置の電源を切ることを特徴とする請求項１から請求項２記載の番組受信装置。
【請求項４】
前記番組受信装置は前記特定パケット生成装置から特定パケットを受信時、一定時間後に処理を再開することを特徴とする請求項１から請求項３記載の番組受信装置。
【請求項５】
前記番組受信装置は前記特定パケット生成装置から特定パケットを受信時、一定時間後にひとつ以上の外部装置の電源を投入することを特徴とする請求項１から請求項４記載の番組受信装置。
【請求項６】
一定時間は、前記特定パケット生成装置から受信した特定パケットにかかれている時刻情報を元に生成することを特徴とする請求項１から請求項５記載の番組受信装置。
【請求項７】
前記番組受信装置は前記特定パケット生成装置から特定パケットを受信時、他のチャンネルを受信することを特徴とする請求項１から請求項６記載の番組受信装置。
【請求項８】
前記番組受信装置は前記特定パケット生成装置から特定パケットを受信時、一定時間後に元のチャンネルを受信することを特徴とする請求項１から請求項７記載の番組受信装置。
【請求項９】
切り替える他のチャンネルは、前記特定パケット生成装置から受信した特定パケットにかかれている番組情報を元に生成することを特徴とする請求項８記載の番組受信装置。
【請求項１０】
請求項１から請求項９記載の番組受信装置を少なくともひとつ以上含むことを特徴とする番組配信システム。
【発明の詳細な説明】
【技術分野】
【０００１】
本発明は、番組配信システムにおける番組受信装置及び制御方法に関するものであり、特に、衛星デジタル放送や、地上デジタル放送等を変調変換してＣＡＴＶ等の番組配信網に再送信する場合において、番組配信送信装置の停止に伴う、番組受信装置の受信方法並びに制御方法に関するものである。
【背景技術】
【０００２】
現在、番組配信システムの中でも、例えば、ＣＡＴＶ会社では放送のデジタル化が進められ、これまでに衛星放送であるＢＳデジタル放送や東経１１０度ＣＳデジタル放送（以下１１０ＣＳ放送）、さらには、地上デジタル放送のＣＡＴＶ再送信が行われてきている。これらのデジタル放送をＣＡＴＶ網に再送信するためには、再送信を行うための装置（以下ＣＡＴＶ送信装置）が必須であり、さらにＣＡＴＶ会社は、連続したサービスをＣＡＴＶ加入者に提供することが重要となっている。
【０００３】
このような状況のため、ＣＡＴＶ会社はＣＡＴＶ送信装置の機能拡張、並びに保守、また送信装置の障害発生時にもサービスの停止をすることは容易ではない。
【０００４】
なおＣＡＴＶ送信装置は、内部に動作を決定するためのプログラムを有しており、前記プログラムを書き換えることにより機能の拡張、保守を行うことが可能である。
【特許文献１】特開２００１−２１８１８２号公報
【発明の開示】
【発明が解決しようとする課題】
【０００５】
解決しようとする問題点は、ＣＡＴＶ再送信システムを例にすると、従来の構成では、番組再送信装置である、ＣＡＴＶ送信装置の機能拡張並びに、保守をおこなうためには、加入者に対するサービスを停止させる必要があるため、機能拡張並びに、保守を行うことは、加入者の視聴が少ない深夜等、時間に制約を伴う作業となる。
【課題を解決するための手段】
【０００６】
本発明は、前記課題を解決するために、番組送信装置側から番組受信装置に特定のパケットを送信し、番組受信装置で、サービス停止時の動作を規定することにより、時間の制約にとらわれない番組送信装置の停止を伴う機能の拡張並びに、保守、を行うことを可能にすることを特徴とする。
【発明の効果】
【０００７】
本発明により、ＣＡＴＶの加入者は、番組受信装置の動作、並びに、外部機器への出力結果より、サービスの停止状態を認識することができる。
【０００８】
さらには、ＣＡＴＶ等の番組配信会社は、加入者に対するサービスを停止させることなく、番組送信装置の機能拡張並びに保守をすることができる。
【発明を実施するための最良の形態】
【０００９】
以下本発明の実施の形態について、ＣＡＴＶ再送信システムを例にとり、図面を参照しながら説明する。
【００１０】
（実施の形態１）
図１は、本発明の実施の形態１における本発明の構成図の一例である。
【００１１】
ＣＡＴＶ会社１から、加入者宅等に設置されたＣＡＴＶ受信装置７に特定パケットを送信するための特定パケット生成装置３、特定パケットをＣＡＴＶ網６で送信するための変調器４、第一ＣＡＴＶ送信装置２から出力される変調信号と、変調後の特定パケットを混合する混合器５により構成されている。
【００１２】
一方、ＣＡＴＶ受信装置７は、変調された特定パケットを受信する受信部８、受信部８で復調された特定パケットの内容を解析するデータ処理部１０、受信した特定パケットに表示装置への表示情報が含まれている場合に、外部装置１３へ出力するまで表示情報を蓄積する表示内容蓄積部９、受信した特定パケットに従い外部装置１３を制御する外部装置制御部１２、自装置の制御を行う自装置制御部１１、特定パケットに指定された時刻を管理する時刻管理部１４、ＣＡＴＶ受信装置の電源制御を行う電源制御部１５で構成されている。
【００１３】
特定パケット生成装置３から送信された特定パケットは、ＣＡＴＶ網６を経由して、ＣＡＴＶ受信装置７で受信される。
【００１４】
ＣＡＴＶ受信装置７は、ＣＡＴＶ網６を経由して受信した変調後の特定パケットを、受信部８で受信し復調する。復調後の特定パケットは、データ処理部１０で特定パケットに含まれる指示内容を解析し、指示された内容を外部装置制御部１２、自装置制御部１１、表示内容蓄積部９、時刻管理部１４に引渡し、外部装置制御部１２、自装置制御部１１、表示内容蓄積部９、時刻管理部１４がＣＡＴＶ受信装置として、ＣＡＴＶ会社９からの指示された通りの動作を行う。
【００１５】
例えば、特定パケット生成装置３より、ＣＡＴＶ受信装置７に対して、電源制御を行う場合を図３及び図１を用いて説明する。
【００１６】
図３において、２０１は特定パケットの一例であるＰＭＴ（Ｐｒｏｇｒａｍ  Ｍａｐ  Ｔａｂｌｅ）、２０２は受信機への電源オフ制御を示す電源オフ記述子、２０３は受信機への電源オン制御を示す電源オン記述子である。
【００１７】
ＣＡＴＶ受信装置７に対して電源オフ制御をする場合、特定パケット生成装置３から、特定パケット２０１の電源オフ記述子データ２０２をＰＭＴの第１ループ中に、生成して送信する。電源オフ記述子データ２０２は、電源オフを示す記述子、前期記述子データの長さを示す記述子長、その記述子データが指定する機器ＩＤ、指定された機器が電源オフする時刻データ、及び電源オフの継続時間で構成される。電源オフ記述子を含むＰＭＴ２０１を受信し、指定されたＣＡＴＶ受信装置７は、データ処理部１０で電源オフ記述子２０２を確認すると、自装置制御部１１に電源オフコマンドと、電源オフ記述子データ２０２内の継続時間領域で指定された時間を送る。自装置制御部１１では電源制御部１５を制御して指定された時刻の間電源をオフしておく。
【００１８】
また、ＣＡＴＶ受信装置７に対して電源オン制御をする場合、特定パケット生成装置３から、電源オン記述子データ２０３をＰＭＴの第１ループ中に生成して送信する。本特定パケットを受信し、指定されたＣＡＴＶ受信装置７は、指定された時刻の間電源をオンしておく。
【００１９】
以上の制御により電源制御が可能となり、ＣＡＴＶ会社１は、ＣＡＴＶ装置２の機能拡張、及び保守等を行う間、視聴できない番組を受信していた受信機の電源を切り、保守拡張が完了した時点で電源を投入することが可能となり、受信機側での不要な受信を防ぎ、ユーザーの不要な視聴を防ぐことが出来る。
【００２０】
また、契約が終了した受信機の受信を工事無しで停止することが可能となる。
【００２１】
なお前記特定パケットをＰＭＴの第１ループとして説明したが、特定パケットの形態はＰＭＴに限定しない。
【００２２】
（実施の形態２）
図２は、本発明の実施の形態２における本発明の構成図の一例である。また、図４は本発明の実施の形態２で説明する特定パケットの内容である。
【００２３】
図４において、３０１は特定パケットの一例であるＰＭＴ、３０２はサービスの切換えを示すサービス切り替え記述子、３０３は受信周波数の切り替えを示す周波数切換え記述子である。
【００２４】
図１の構成で、ＣＡＴＶ会社１に、第二ＣＡＴＶ送信装置１２０が追加され、ＣＡＴＶ受信装置７に、周波数制御部１１５が追加されている。ここでは、ＣＡＴＶ受信装置７でのチャンネル切換えの例を説明する。
【００２５】
第二ＣＡＴＶ送信装置１２０は、第一ＣＡＴＶ送信装置２と同一のサービスを別の周波数で再送信しており、ＣＡＴＶ受信装置７は、加入者からの指示により、通常は第一ＣＡＴＶ送信装置２を選択する。
【００２６】
ここで、ＣＡＴＶ会社１の特定パケット生成装置３より、選局情報を含むＰＭＴ３０１をＣＡＴＶ受信装置７に送信する。選局情報としては、ＣＡＴＶ受信装置７で視聴されているサービスの変更（３０２）、もしくはＣＡＴＶ送信装置からの周波数の変更（３０３）を行う情報が記述されている。
【００２７】
送信された前記特定パケット３０１は、ＣＡＴＶ網６を経由して変調後の特定パケット３０１としてＣＡＴＶ受信装置７の受信部８で受信され、復調する。復調後の特定パケットはデータ処理部１０で特定パケットに含まれる指示内容を解析し、それぞれ指示された内容を外部装置制御部１２、自装置制御部１１１、表示内容蓄積部９、時刻管理部１４に引渡し、その内容を保持する。
【００２８】
その後、加入者から、第一ＣＡＴＶ送信装置２を選択するように指示されると、ＣＡＴＶ会社１から特定パケット３０１にて指示されたデータ内容から、データ３０３の周波数の変更指示があった場合、自装置制御部１１では周波数制御部１１５を制御して第二ＣＡＴＶ送信装置１２０を自動的に選択する。これによりＣＡＴＶ会社１は、加入者に対して同一のサービスを提供することが出来る。また、データ内容により、同一のサービスを提供させるだけでなく、外部装置制御部１３より加入者へのサービス停止を告知する事が出来る。更に、特定パケット３０１に、３０２，または３０３に示すデータにおいて継続時間が指定されている場合は、時刻管理部１４によりＣＡＴＶ受信装置７の時刻管理を行い、自動的に第二ＣＡＴＶ装置１２０を選択させたり、一定時間後に自動的に第一ＣＡＴＶ装置２に切り換えたりすることも出来る。
【００２９】
このようにＣＡＴＶ受信装置７へ特定パケットにより指示した状態で、第一ＣＡＴＶ送信装置２の機能拡張並びに、保守を実施する。
【００３０】
なお、実施の形態１及び実施の形態２において、表示内容蓄積部９にはあらかじめ所定のデータが保持され、特定パケットを受信した際、あらかじめ保持されていたデータ、例えば電源オフ及び電源オンコマンドや特定周波数情報を出力しても同等の効果が得られる。
【産業上の利用可能性】
【００３１】
ＣＡＴＶ会社において、サービス停止の告知の簡略化、及び、サービスの停止を伴わないＣＡＴＶ送信装置の機能拡張、並びに保守に有用である。また、ＣＡＴＶ送信装置が故障した場合にも短時間で他のＣＡＴＶ送信装置に切り換えることが出来るため、加入者へのサービス停止時間を短くすることが出来る。
【図面の簡単な説明】
【００３２】
【図１】本発明の実施の形態１に係るデジタルＣＡＴＶ再送信システムの構成を示すブロック図
【図２】本発明の実施の形態２に係るデジタルＣＡＴＶ再送信システムの構成を示すブロック図
【図３】本発明の実施の形態１に係る特定パケットを示す図
【図４】本発明の実施の形態２に係る特定パケットを示す図
【符号の説明】
【００３３】
１    ＣＡＴＶ会社
２    第一ＣＡＴＶ送信装置
３    特定パケット生成装置
４    変調器
５    混合器
６    ＣＡＴＶ網
７    ＣＡＴＶ受信装置
８    受信部
９    表示内容蓄積部
１０    データ処理部
１１、１１１    自装置制御部
１２    外部装置制御部
１３    外部装置
１４    時刻管理部
１５    電源制御部
１１５    周波数制御部
１２０    第二ＣＡＴＶ送信装置
２０１，３０１    特定パケット構成例
２０２    電源ＯＮ記述子構成例
２０３    電源ＯＦＦ記述子構成例
３０２    サービス切換え記述子構成例
３０３    周波数切換え記述子構成例
【図１】
2006094268.tif 000003
【図２】
2006094268.tif 000004
【図３】
2006094268.tif 000005
【図４】
2006094268.tif 000006